(57)【要約】【課題】簡素な構成であり、且つ簡素な処理で、ユニークワードＵＷを確実に検出するユニークワード検出回路を提供する。【解決手段】入力されたベースバンド信号とこの１シンボル遅延信号とは複素共役演算されてＩ信号成分Ｉｃｃ、Ｑ信号成分Ｑｃｃが生成される。Ｉ信号相関処理部２１は複数の基準信号とＩ信号成分Ｉｃｃとをそれぞれ相関処理し、Ｑ信号相関処理部２２は特定の基準信号とＱ信号成分Ｑｃｃとを相関処理する。これらの相関処理信号Ｉｃｆ，Ｑｃｆは絶対値演算部３で絶対値演算されて、Ｉ信号相関データＡＢＳ（Ｉｃｆ）が生成される。ＵＷタイミング検出部７は、最大のＩ信号相関データＡＢＳ（Ｉｃｆ）と補正Ｑ信号相関データＡＢＳ（Ｑ’ｃｆ）の所定倍且つ逆数との乗算結果を閾値と比較し、乗算結果が閾値を超えた時点をＵＷ検出タイミングとして出力する。【選択図】  図２
2006217541.tif 000002
【特許請求の範囲】
【請求項１】
少なくともユニークワードが等価的にＢＰＳＫ変調されたディジタル変調信号から、ユニークワードを検出するユニークワード検出回路において、
前記ディジタル変調信号をシンボル同期してベースバンド信号を生成するベースバンド信号生成手段と、
ベースバンド信号と、該ベースバンド信号を１シンボル遅延させた遅延信号の複素共役との乗算演算を行って、複素共役演算信号を生成する複素共役演算信号生成手段と、
前記ディジタル変調信号のユニークワードに用いられる、それぞれが異なるビットパターンからなる複数の基準信号を生成する基準信号生成手段と、
複素共役演算信号のＩ信号成分と任意の種類の基準信号とを相関処理するＩ信号相関処理手段と、
該Ｉ信号相関処理手段の出力信号の絶対値演算を行ってＩ信号相関データを生成するＩ信号相関データ生成手段と、
各Ｉ信号相関データを比較し、最も相関の強いＩ信号相関データを出力するＩ信号相関データ比較手段と、
複素共役演算信号のＱ信号成分と任意に選択された基準信号とを相関処理するＱ信号相関処理手段と、
該Ｑ信号相関処理手段の出力信号の絶対値演算を行ってＱ信号相関データを生成するＱ信号相関データ生成手段と、
前記Ｑ信号相関処理データに基づく判定基準値を前記Ｉ信号相関処理データが超えたタイミングを、ユニークワードの検出タイミングとするタイミング検出手段と、を備えたことを特徴とするユニークワード検出回路。
【請求項２】
前記Ｉ信号相関処理手段は、前記複素共役演算信号のＩ信号成分と、前記基準信号の全てとを、それぞれ相関処理する請求項１に記載のユニークワード検出回路。
【請求項３】
前記Ｉ信号相関データ比較手段は、前記最も相関の強いＩ信号相関データに用いられた基準信号をユニークワードとして検出する請求項１または請求項２に記載のユニークワード検出回路。
【請求項４】
前記Ｑ信号相関処理手段は、前記複素共役演算信号のＱ信号成分と特定の基準信号との相関処理信号の高周波成分を除去するフィルタ演算を行う請求項１〜請求項３のいずれかに記載のユニークワード検出回路。
【請求項５】
前記タイミング検出手段により検出されたタイミングにおいて、前記最も相関の強いＩ信号相関データとなる複素共役演算信号のＩ信号成分と基準信号との相関処理信号の、複素共役演算信号のＱ信号成分と特定の基準信号との相関処理信号に対する比の逆正接演算から前記ディジタル変調信号の周波数を検出する周波数検出手段を備えた、請求項１〜４のいずれかに記載のユニークワード検出回路。
【発明の詳細な説明】
【技術分野】
【０００１】
この発明は、ディジタル変調信号のユニークワードを検出するユニークワード検出回路、特に、ユニークワード（Unique Word、以下「ＵＷ」と称す。）が等価的にＢＰＳＫ変調されているディジタル変調信号のユニークワード検出回路に関するものである。
【背景技術】
【０００２】
ディジタル変調信号を用いて情報を送受信するシステムでは、ディジタル変調信号を復調するために、特定ビット長で設定されたＵＷが各フレームの同じ位置に配置されている。そして、このようなシステムでディジタル変調信号を復調する装置、すなわち、ディジタル通信信号受信機では、前記ＵＷを検出することによりディジタル変調信号に対して同期を取り、復調する。
【０００３】
このように、ＵＷの検出は、ディジタル変調信号の復調において必須条件であるので、従来、正確且つ確実にＵＷを検出するユニークワード検出回路が各種考案されている。これら従来のユニークワード検出回路は、ディジタル変調信号のベースバンド信号にＵＷを相関処理する方法や、ディジタル変調信号のベースバンド信号のＩ信号、Ｑ信号に対してＵＷを相関処理する方法が用いられている。
【０００４】
なかでも、低Ｃ／Ｎ０下でＵＷを安定して検出するユニークワード検出回路として、特許文献１には、ディジタル変調信号を直交ベースバンド復調することで生成されるＩ信号とＱ信号とについて、それぞれ自乗演算を行い、自乗演算された信号の振幅のうち、振幅の大きい側の信号を用いてＵＷを検出するものが開示されている。
【特許文献１】特開平１１−３４１０９６号公報
【発明の開示】
【発明が解決しようとする課題】
【０００５】
従来のユニークワード検出回路でベースバンド信号に直接、ＵＷを相関処理する場合には、周波数シフトが存在すると、ＵＷの検出誤差が大きくなってしまう。また、従来のユニークワード検出回路でベースバンド信号の複素共役信号（Ｉ信号、Ｑ信号）に対してＵＷを相関処理する場合には、基準となる閾値を動的に変化させることができないので、装置毎に設定変更を行わなければ正確にＵＷを検出することができない。
【０００６】
また、特許文献１に示すユニークワード検出回路は、Ｉ信号とＱ信号とを比較して選択し、且つ、周波数シフト方向に応じて、選択されたＩ信号およびＱ信号の正転、反転処理を行わなければならず、信号処理は煩雑になるとともに、処理回路が複雑化してしまう。
【０００７】
したがって、この発明の目的は、簡素な構成であり、且つ簡素な処理で、ユニークワードＵＷを正確且つ確実に検出することができるユニークワード検出回路を提供することにある。
【課題を解決するための手段】
【０００８】
この発明は、少なくともユニークワードが等価的にＢＰＳＫ変調されたディジタル変調信号からユニークワードを検出するユニークワード検出回路において、
ディジタル変調信号をシンボル同期してベースバンド信号を生成するベースバンド信号生成手段と、ベースバンド信号と、該ベースバンド信号を１シンボル遅延させた遅延信号の複素共役との乗算演算を行って、複素共役演算信号を生成する複素共役演算信号生成手段と、ディジタル変調信号のユニークワードに用いられる、それぞれが異なるビットパターンからなる複数の基準信号を生成する基準信号生成手段と、複素共役演算信号のＩ信号成分と任意の種類の基準信号とを相関処理するＩ信号相関処理手段と、該Ｉ信号相関処理手段の出力信号の絶対値演算を行ってＩ信号相関データを生成するＩ信号相関データ生成手段と、各Ｉ信号相関データを比較し、最も相関の強いＩ信号相関データを出力するＩ信号相関データ比較手段と、複素共役演算信号のＱ信号成分と任意に選択された基準信号とを相関処理するＱ信号相関処理手段と、該Ｑ信号相関処理手段の出力信号の絶対値演算を行ってＱ信号相関データを生成するＱ信号相関データ生成手段と、Ｑ信号相関処理データに基づく判定基準値をＩ信号相関処理データが超えたタイミングを、ユニークワードの検出タイミングとするタイミング検出手段と、を備えたことを特徴としている。
【０００９】
また、この発明のユニークワード検出回路は、Ｉ信号相関処理手段で、複素共役演算信号のＩ信号成分と、基準信号の全てとを、それぞれ相関処理することを特徴としている。
【００１０】
この構成では、ディジタル変調信号が直交ベースバンド復調されることでベースバンド信号が生成される。この際、同時にベースバンド信号はシンボル同期される。シンボル同期されたベースバンド信号とこのベースバンド信号の１シンボル遅延信号とは複素共役乗算演算される。
【００１１】
ある時点ｔのベースバンド信号をｒ（ｔ）とし、このベースバンド信号の実数成分であるベースバンドＩ信号をＩ（ｔ）とし、このベースバンド信号の虚数成分であるベースバンドＱ信号をＱ（ｔ）とすると、
【００１２】
【数１】
2006217541.tif 000003
【００１３】
で表される。
【００１４】
周波数オフセットをΔｆとし、時点ｔでの振幅をＡ（ｔ）とし、位相をθ（ｔ）とすると、ベースバンドＩ信号Ｉ（ｔ）およびベースバンドＱ信号Ｑ（ｔ）はそれぞれ、
【００１５】
【数２】
2006217541.tif 000004
【００１６】
と表される。
【００１７】
ベースバンド信号ｒ（ｔ）はシンボル同期されているので、離散的に表現することができ、
【００１８】
【数３】
2006217541.tif 000005
【００１９】
となる。したがって、離散化されたベースバンド信号ｒ［ｎ］とこのベースバンド信号の１シンボル遅延信号ｒ［ｎ−１］とは複素共役乗算演算は、
【００２０】
【数４】
2006217541.tif 000006
【００２１】
となる。ここで、Ｔｓは一定なシンボルレートであり、Δθはθ［ｎ］の微分値である。
【００２２】
ここで、ＵＷは等価的にＢＰＳＫ変調信号であるので、振幅は一定になり、且つΔθは「０」または「π」しかとらないので無視することができる。
【００２３】
この結果、この複素共役乗算演算により算出される複素共役演算信号と元信号であるベースバンド信号とではＵＷおよびそのタイミングは変化せず、且つ周波数シフト成分がキャンセルされて、周波数シフト成分に依存しない複素共役演算信号が生成される。
【００２４】
次に、それぞれが異なるビットパターンからなる複数の基準信号が、それぞれ任意に１つずつ、複素共役演算信号の実数部であるＩ信号成分Ｉｃｃに相関処理される。また、前記複数の基準信号のうちの任意に選択された１つの基準信号が複素共役演算信号の虚数部であるＱ信号成分Ｑｃｃに相関処理される。
【００２５】
複数の基準信号と複素共役演算信号のＩ信号成分Ｉｃｃとの相関処理信号Ｉｃｆはそれぞれ絶対値演算される。この処理により生成される基準信号毎のＩ信号相関データは比較され、最も大きな絶対値となるＩ信号相関データが抽出される。
【００２６】
また、前記特定の基準信号と複素共役演算信号のＱ信号成分Ｑｃｃとの相関処理信号Ｑｃｆは絶対値演算されて、Ｑ信号相関データが生成される。
【００２７】
次に、Ｑ信号相関データに基づく所定値に対する抽出されたＩ信号相関データの比を算出し、この比が予め設定した判定基準値を超えたかどうかを判定する。そして、この比が判定基準値を超えたタイミングをＵＷの最後のシンボルのタイミングとして検出する。これにより、ＵＷのタイミングが検出される。
【００２８】
また、この発明のユニークワード検出回路のＩ信号相関データ比較手段は、最も相関の強いＩ信号相関データに用いられた基準信号を、ＵＷとして検出することを特徴としている。
【００２９】
この構成では、Ｉ信号相関データが最大になるのは、複素共役演算信号のＩ信号Ｉｃｃに含まれるＵＷと基準信号との相関が最大になること、すなわち、ＵＷと基準信号とが一致することと、同意であるので、この際の基準信号がＵＷとして検出される。
【００３０】
また、この発明のユニークワード検出回路のＱ信号相関処理手段は、複素共役演算信号のＱ信号成分Ｑｃｃと特定の基準信号との相関処理信号Ｑｃｆの高周波成分を除去するフィルタ演算を行うことを特徴としている。
【００３１】
この構成では、複素共役演算信号のＱ信号成分Ｑｃｃと特定の基準信号との相関処理信号Ｑｃｆの高周波成分を除去することで、相関処理信号Ｑｃｆのノイズ成分が除去され、実質的なＱ信号成分に基づく判定基準値が得られる。
【００３２】
また、この発明のユニークワード検出回路は、タイミング検出手段により検出されたタイミングにおいて、最も相関の強いＩ信号相関データとなる複素共役演算信号のＩ信号成分Ｉｃｃと基準信号との相関処理信号Ｉｃｆの、複素共役演算信号のＱ信号成分Ｑｃｃと特定の基準信号との相関処理信号Ｑｃｆに対する比の逆正接演算を用いて、ディジタル変調信号の周波数を検出する周波数検出手段を備えた、ことを特徴としている。
【００３３】
この構成では、ＵＷとして識別された特定の基準信号と複素共役演算信号のＩ信号成分Ｉｃｃとの相関処理信号Ｉｃｆと、この特定の基準信号と複素共役演算信号のＱ信号成分Ｑｃｃとの相関処理信号Ｑｃｆとを用いると、（式４）に基づき、
【００３４】
【数５】
2006217541.tif 000007
【００３５】
からΔｆが得られる。そして、このΔｆを用いることで受信したディジタル変調信号の周波数が得られる。
【発明の効果】
【００３６】
この発明によれば、従来よりも簡単な処理手法で、且つ簡素な処理演算回路でＵＷのタイミングおよびＵＷを検出することができる。
【００３７】
また、この発明によれば、Ｑ信号成分をフィルタ処理することで、判定基準値がより正確になり、さらに正確、確実にＵＷを検出することができる。
【００３８】
また、この発明によれば、ＵＷのタイミングおよびＵＷを検出するとともに、受信するディジタル変調信号の周波数検出を行うことができる。
【発明を実施するための最良の形態】
【００３９】
本発明の実施形態に係るユニークワード（ＵＷ）検出回路について図１〜図９を参照して説明する。本実施形態では、ディジタル通信信号として少なくともＵＷが等価的にＢＰＳＫ変調されているディジタル通信信号を利用する受信機のＵＷ検出回路について説明する。
図１は本実施形態のＵＷ検出回路を備えるディジタル通信信号受信機の一部を示す概略構成ブロック図である。
ディジタル通信信号受信機では、まず、受信したディジタル通信信号を中間周波数に変換したＩＦ信号がミキサ１０１およびミキサ１０２に入力される。ミキサ１０１には、電圧制御発振器（ＶＣＯ）１０３から、所定周波数の局部発振信号が入力されており、ミキサ１０１は、前記ＩＦ信号に局部発振信号をミキシングして、中間周波Ｉ信号を生成する。ミキサ１０２には、前記局部発振信号をπ／２位相回路１０４でπ／２位相遅延させたπ／２遅延局部発振信号が入力されており、ミキサ１０２は、前記ＩＦ信号にπ／２遅延局部発振信号をミキシングして、中間周波Ｑ信号を生成する。
【００４０】
ローパスフィルタ（ＬＰＦ）１０５は、中間周波Ｉ信号の高調波成分を除去してダウンコンバータ１０７に出力し、ローパスフィルタ（ＬＰＦ）１０６は、中間周波Ｑ信号の高調波成分を除去してダウンコンバータ１０８に出力する。
【００４１】
シンボルタイミング検出回路１０９は、中間周波Ｉ信号および中間周波Ｑ信号に基づき、シンボルタイミングを検出して、シンボルタイミング信号をダウンコンバータ１０７，１０８に出力する。
【００４２】
ダウンコンバータ１０７は、入力された中間周波Ｉ信号とシンボルタイミング信号とに基づきベースバンドのＩ信号を生成し、ダウンコンバータ１０８は、入力された中間周波Ｑ信号とシンボルタイミング信号とに基づきベースバンドのＱ信号を生成する。これら、シンボル同期が行われ、ベースバンドにダウンコンバートされたＩ信号とＱ信号は、ＵＷ検出回路１００に入力される。
【００４３】
ＵＷ検出回路１００は、後述する構成および方法により、ＵＷ（ユニークワード）の最後のタイミングと、ＵＷのタイプＦｕｗすなわちＵＷを構成するコードとを検出する。そして、ＵＷ検出回路１００は、ＵＷ検出タイミングＴｕｗを周波数推定回路１１０に出力する。周波数推定回路１１０は、入力されたＵＷ検出タイミングＴｕｗを用いて、後述する方法で周波数シフト量Δｆを算出し、受信するディジタル通信信号の周波数を推定する。
【００４４】
図２は図１に示すＵＷ検出回路１００の概略構成を示すブロック図である。
図３は図２に示す複素共役演算部１の概略構成を示すブロック図である。
図４は図２に示すＵＷ検出回路を機能ブロック単位で示すブロック図である。
【００４５】
ＵＷ検出回路１００は、複素共役演算部１、相関処理部２、絶対値演算部３、最大値検出部４、判定基準生成部５、ミキサ６、ＵＷタイミング検出部７、ＵＷタイプ検出部８、フィルタ９、基準信号記憶部１０を備える。
【００４６】
複素共役演算部１は、１シンボル遅延処理部１１、複素共役処理部１２、ミキサ１３を備える。
複素共役演算部１にベースバンド信号ｒ［ｎ］、すなわちベースバンドＩ信号Ｉ［ｎ］とベースバンドＱ信号Q［ｎ］とが入力されると、これらはそれぞれ２系統に分配されて、１シンボル遅延処理部１１とミキサ１３とに入力される。１シンボル遅延処理部１１は、入力されたベースバンド信号ｒ［ｎ］を１シンボル分遅延させた１シンボル遅延信号ｒ［ｎ−１］を複素共役処理部１２に出力する。
【００４７】
複素共役処理部１２は、入力された１シンボル遅延信号ｒ［ｎ−１］の複素共役を演算してミキサ１３に出力する。ミキサ１３は、ベースバンド信号ｒ［ｎ］と１シンボル遅延信号の複素共役ｒ*［ｎ−１］とを乗算して、複素共役演算信号ｒ［ｎ］ｒ*［ｎ−１］を出力する。この際、複素共役処理部１２は、複素共役演算信号ｒ［ｎ］ｒ*［ｎ−１］の実数部である複素共役演算信号のＩ信号成分Ｉｃｃを相関処理部２のＩ信号相関処理部２１に出力し、複素共役演算信号ｒ［ｎ］ｒ*［ｎ−１］の虚数部である複素共役演算信号のＱ信号成分Ｑｃｃを相関処理部２のＱ信号相関処理部２２に出力する。
【００４８】
基準信号記憶部１０は、本ディジタル通信信号受信機が受信するディジタル通信信号に用いられるＵＷと同じコードからなる基準信号が記憶されている。通常、ＵＷは複数設定されており、これらのＵＷはそれぞれが異なるコードで且つ互いに相関関係が無い、または非常に弱い関係となるように設定されている。そして、基準信号記憶部１０は、これら複数のＵＷにそれぞれ対応する基準信号を記憶している。例えば、図２（図４）の例では、相関Ｆ０〜相関Ｆ８に対応する９つの基準信号を記憶している。
【００４９】
Ｉ信号相関処理部２１は、複素共役演算信号のＩ信号成分Ｉｃｃが入力されると、基準信号記憶部１０から順に基準信号を読み出し、それぞれの基準信号とＩ信号成分Ｉｃｃとの相関処理（相関Ｆ０〜相関Ｆ８）を順次行い、相関処理信号Ｉｃｆ0〜相関処理信号Ｉｃｆ8を生成する。そして、Ｉ信号相関処理部２１は、これら相関処理信号Ｉｃｆ0〜Ｉｃｆ8を絶対値演算部３のＩ信号絶対値演算部３１に出力する。
【００５０】
Ｑ信号相関処理部２２は、複素共役演算信号のＱ信号成分Ｑｃｃが入力されると、基準信号記憶部１０から特定の基準信号（例えば、相関Ｆ０に対応する基準信号）を読み出し、この基準信号とＱ信号成分Ｑｃｃとの相関処理（相関Ｆｎ）を行い、相関処理信号Ｑｃｆnを生成する。そして、Ｑ信号相関処理部２２は、この相関処理信号Ｑｃｆnをフィルタ９に出力する。この際、使用する基準信号はいずれの基準信号でもよい。なぜならば、Ｑ信号成分Ｑｃｃは実信号に対するノイズ成分に対応するものであり、いずれの基準信号を用いても相関は低く、殆ど変わらないからである。
【００５１】
フィルタ９は、例えば、高周波数成分を除去する一次ＩＩＲフィルタを備え、相関処理信号Ｑｃｆnの高調波成分が除去された補正相関処理信号Ｑ’ｃｆnを絶対値演算部３のＱ信号絶対値演算部３２に出力する。このようなフィルタ処理を行うことで、後述する判定基準値の基となる相関処理信号Ｑｃｆnの高調波成分すなわちノイズを除去して、的確な判定基準値を得ることができる。
【００５２】
Ｉ信号絶対値演算部３１は、入力された相関処理信号Ｉｃｆ0〜Ｉｃｆ8を絶対値演算して、Ｉ信号相関データＡＢＳ（Ｉｃｆ0）〜ＡＢＳ（Ｉｃｆ8）を最大値検出部４に出力する。
【００５３】
最大値検出部４は、入力されたＩ信号相関データＡＢＳ（Ｉｃｆ0）〜ＡＢＳ（Ｉｃｆ8）から最大値を検出して、最大値となるＩ信号相関データＡＢＳ（Ｉｃｆ）をミキサ６に出力する。また、最大値検出部４は最大値となるＩ信号相関データＡＢＳ（Ｉｃｆ）に相当する基準信号がＵＷに相当するとして、該当する基準信号をＵＷタイプ検出部８に出力する。ここで、Ｉ信号絶対値演算部３１が本発明の「Ｉ信号相関データ生成手段」に相当し、最大値検出部４が本発明の「相関データ比較手段」に相当する。
【００５４】
ＵＷタイプ検出部８は、入力された基準信号から該当するＵＷを検出して、予め設定されているＵＷタイプデータＦｕｗを出力する。このように設定されたＵＷタイプデータＦｕｗに基づき、以後のＵＷ検出が実行される。
【００５５】
Ｑ信号絶対値演算部３２は、入力された補正相関処理信号Ｑ’ｃｆnを絶対値演算して、補正Ｑ信号相関データＡＢＳ（Ｑｃｆn）を判定基準生成部５に出力する。ここで、Ｑ信号絶対値演算部３２が本発明の「Ｑ信号相関データ生成手段」に相当する。
【００５６】
判定基準生成部５は、入力された補正Ｑ信号相関データＡＢＳ（Ｑ’ｃｆn）に、図４の５０で示す演算、すなわち、定倍（例えば、図４に示すように１０倍）して逆数演算を行い、判定基準値としてミキサ６に出力する。
【００５７】
ミキサ６は、最大値検出部４から入力されたＩ信号相関データＡＢＳ（Ｉｃｆ）と、判定基準生成部５から出力される判定基準値とを乗算して、演算データをＵＷタイミング検出部７に出力する。
【００５８】
ＵＷタイミング検出部７は、ミキサ６から入力された演算データと、予め記憶された閾値とを比較して、演算データが閾値を超えるタイミングを検出し、このタイミングをＵＷ検出タイミングとして、タイミング検出データＴｕｗを出力する。このタイミングはＵＷの最後のシンボルタイミングに相当する。この際、閾値は次のように設定される。例えば、ノイズに対する実信号の比を１０倍と設定した場合で、図４に示すように、ノイズに相当する補正相関処理信号Ｑ’ｃｆnの補正Ｑ信号相関データＡＢＳ（Ｑ’ｃｆn）を１０倍した判定基準値を利用する場合、閾値を「１」と設定しておけばよい。そして、この閾値や判定基準値は、所望とする判定基準に応じて適宜設定すればよい。
【００５９】
周波数推定回路１１０には、ＵＷタイミング検出部７から出力されるタイミング検出データＴｕｗと、ＵＷタイプ検出部８から出力されるＵＷタイプデータＦｕｗとが入力される。周波数推定回路１１０は、タイミング検出データＴｕｗの入力タイミングに、Ｉ信号相関処理部２１からＵＷタイプデータＦｕｗに相当する基準信号と複素共役演算信号のＩ信号成分Ｉｃｃとの相関処理信号Ｉｃｆを抽出するとともに、相関処理信号Ｑｃｆを抽出する。そして、周波数推定回路１１０は、これら相関処理信号Ｉｃｆ，Ｑｃｆを前述の（式５）に適用して、周波数シフトΔｆを算出する。そして、この周波数シフトΔｆを用いて、受信するディジタル変調信号の周波数を推定する。これにより、ＵＷおよびＵＷのタイミングを検出とともに、周波数推定を行うことができる。
【００６０】
次に、本実施形態の構成を用いた具体的なシミュレーション結果について説明する。
【００６１】
図５〜図９は、基準信号とＵＷとの相関処理結果のノイズに対する比を表したグラフである。図５〜図９において、「同ＵＷパターン相関結果」で示される結果は基準信号とＵＷとが一致した場合を示し、「他ＵＷパターン相関結果」で示される結果は基準信号とＵＷとが一致しない場合を示し、これらは前述の説明におけるＩ信号相関データＡＢＳ（Ｉｃｆ）に相当する。また、「評価ノイズ値」は前述の説明のおける補正Ｑ信号相関データＡＢＳ（Ｑ’ｃｆ）に相当する。また、図５〜図９ではＥｂ／Ｎが異なり、図５はＥｂ／Ｎが０ｄＢの場合を、図６はＥｂ／Ｎが５ｄＢの場合を、図７はＥｂ／Ｎが１０ｄＢの場合を、図８はＥｂ／Ｎが１５ｄＢの場合を、図９はＥｂ／Ｎが２０ｄＢの場合を示す。さらに、各図５〜図９において、上側の図は周波数オフセットすなわち周波数シフトΔｆが０Ｈｚの場合を示し、下側の図は周波数シフトΔｆが３ｋＨｚ（３０００Ｈｚ）の場合を示す。
【００６２】
このシミュレーションは、変復調方式として１６ＱＡＭを用いて、フレーム長が２６８８シンボルであり、シンボルレートが３３．６ｋｓｙｍｂｏｌ／ｓｅｃ．で行ったものである。
【００６３】
また、このシミュレーションでは、基準信号とＵＷとの相関処理結果のノイズに対する比が１０倍となった場合を、ＵＷが検出できたものと識別する。
【００６４】
これらの図５〜図９より分かるように、Ｅｂ／Ｎが０ｄＢ、すなわち、情報を有するディジタル変調信号がノイズに埋もれるような状態であり、且つ周波数シフトが３ｋＨｚ存在しても、９５．８％の確率でＵＷを検出することができる。また、周波数シフトが無ければ、Ｅｂ／Ｎに関係なく、略１００％でＵＷを検出することができる。さらに、Ｅｂ／Ｎが５ｄＢ以上存在すれば、周波数シフトが３ｋＨｚ存在しても、略１００％でＵＷを検出することができる。
【００６５】
以上のように、本発明のＵＷ検出回路を用いることにより、周波数シフトが存在してＥｂ／Ｎが低くても、確実且つ正確にＵＷを検出することができる。
【図面の簡単な説明】
【００６６】
【図１】本実施形態のＵＷ検出回路を備えるディジタル通信信号受信機の一部を示す概略構成ブロック図
【図２】図１に示すＵＷ検出回路１００の概略構成を示すブロック図
【図３】図２に示す複素共役演算部１の概略構成を示すブロック図
【図４】図２に示すＵＷ検出回路を機能ブロック単位で示すブロック図
【図５】基準信号とＵＷとの相関処理結果のノイズに対する比を表したグラフ（Ｅｂ／Ｎ＝０ｄＢ）
【図６】基準信号とＵＷとの相関処理結果のノイズに対する比を表したグラフ（Ｅｂ／Ｎ＝５ｄＢ）
【図７】基準信号とＵＷとの相関処理結果のノイズに対する比を表したグラフ（Ｅｂ／Ｎ＝１０ｄＢ）
【図８】基準信号とＵＷとの相関処理結果のノイズに対する比を表したグラフ（Ｅｂ／Ｎ＝１５ｄＢ）
【図９】基準信号とＵＷとの相関処理結果のノイズに対する比を表したグラフ（Ｅｂ／Ｎ＝２０ｄＢ）
【符号の説明】
【００６７】
１００−ＵＷ検出回路
１−複素共役演算部
２−相関処理部
２１−Ｉ信号相関処理部
２２−Ｑ信号相関処理部
３−絶対値演算部
３１−Ｉ信号絶対値演算部
３２−Ｑ信号絶対値演算部
４−最大値検出部
５−判定基準生成部
６−ミキサ
７−ＵＷタイミング検出部
８−ＵＷタイプ検出部
９−フィルタ
１１−１シンボル遅延処理部
１２−複素共役処理部
１３−ミキサ
１０１，１０２−ミキサ
１０３−電圧制御発振器（ＶＣＯ）
１０４−π／２位相回路
１０５，１０６−ＬＰＦ
１０７，１０８−ダウンコンバータ
１０９−シンボルタイミング検出回路
１１０−周波数推定回路
【図１】
2006217541.tif 000008
【図２】
2006217541.tif 000009
【図３】
2006217541.tif 000010
【図４】
2006217541.tif 000011
【図５】
2006217541.tif 000012
【図６】
2006217541.tif 000013
【図７】
2006217541.tif 000014
【図８】
2006217541.tif 000015
【図９】
2006217541.tif 000016